(57)【要約】【課題】  太陽光パネルの設置方向の影響を受けることなく短い電線長の電線で太陽光パネルを接続可能とした、電力損失の少ない効率的な太陽光発電システムを提供する。【解決手段】  太陽光パネルＰＶとこの太陽光パネルＰＶを設置する架台ＲＫとを備えた太陽光発電システム１００において、架台ＲＫの裏面に導電性電源ブスＤＢＵ１，２を設け、この導電性電源ブスＤＢＵ１，２と太陽光パネルＰＶのプラス電極ＰＤＫ及びマイナス電極ＮＤＫとの間をそれぞれ電線ＷＥ１，２により接続する。【選択図】図１
2011211109.tif 000002
【特許請求の範囲】
【請求項１】
太陽光パネルとこの太陽光パネルを設置する架台とを備えた太陽光発電システムにおいて、
前記架台の裏面に設けられた複数の導電性電源ブスと、
前記太陽光パネルのプラス電極とマイナス電極を前記複数の導電性電源ブスの中の対応するものにそれぞれ接続する複数の電線と
を具備することを特徴とする太陽光発電システム。
【請求項２】
前記太陽光パネルを設置した架台を複数設置し、
前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続する
ことを特徴とする請求項１記載の太陽光発電システム。
【請求項３】
前記電導性電源ブスは、前記架台の前記太陽光発電パネルの設置位置を中心としたときにその両側に２つずつ設けられており、
前記複数の電線は、前記太陽光パネルの設置方向に応じて、前記複数の電導性電源ブスに選択的に接続されている
ことを特徴とする請求項１記載の太陽光発電システム。
【請求項４】
太陽光パネルを横長方向に設置した架台を複数設置し、
前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続する
ことを特徴とする請求項３記載の太陽光発電システム。
【請求項５】
太陽光パネルを縦長方向に設置した架台を複数設置し、
前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続する
ことを特徴とする請求項３記載の太陽光発電システム。
【請求項６】
複数の太陽光パネルと、
前記複数の太陽光パネルを設置する架台と、
前記架台の裏面に設けられた複数の導電性電源ブスと、
前記複数の太陽光パネルのそれぞれのプラス電極とマイナス電極を前記複数の導電性電源ブスの中の対応するものにそれぞれ接続する複数の電線とを備え、
前記複数の導電性電源ブスの中の少なくとも１つは、前記複数の太陽光パネルのうち隣接して設置された２つの太陽光パネルの両方に隣接する形を有するパネル間接続用導電性電源ブスであり、
前記隣接して配置された２つの太陽光パネルの一方の太陽光パネルのプラス電極と前記パネル間接続用導電性電源ブスとの間、他方の太陽光パネルのマイナス電極と前記パネル間接続用導電性電源ブスとの間、前記一方の太陽光パネルのマイナス電極と前記パネル間接続用導電性電源ブスと異なる第１の導電性電源ブスとの間、前記他方の太陽光パネルのプラス電極と前記パネル間接続用導電性電源ブス及び前記第１の導電性電源ブスと異なる第２の導電性電源ブスとの間を、前記複数の電線によりそれぞれ接続し、前記架台に設置された全ての太陽光パネルを直列に接続する
ことを特徴とする太陽光発電システム。
【請求項７】
前記複数の太陽光パネルを設置した架台を複数設置し、
前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続する
ことを特徴とする請求項６記載の太陽光発電システム。
【発明の詳細な説明】
【技術分野】
【０００１】
本発明は、太陽光パネルを架台上に配置した太陽光発電システムに関する。
【背景技術】
【０００２】
例えば、太陽光あるいは太陽熱を利用した発電システムにおける太陽光パネルは架台上に並べて設置される。架台上に並べられた太陽光パネル裏面にはそれぞれプラス極とマイナス極の電極が備えられており、それぞれの太陽光パネル毎の電極を一定数量毎に電線などの導電性材料でシリーズ（直列）に接続している。また、太陽光パネルの向きは、設置エリアのサイズに合わせて、縦長方向もしくは横長方向で設置している。
【０００３】
従来の太陽光発電システムの構成を、図９を用いて説明する。従来の太陽光発電システムは、太陽光パネルＰＶ１，２、架台ＲＫ１，２、電線ＷＥ１〜６、プラス電極ＰＤＫ１，２、マイナス電極ＮＤＫ１，２、電線ＷＥ１〜６の先端に取り付けられたコネクタＣＮ１〜６、接続箱ＣＭＢで構成される。太陽光パネルＰＶ１，２はそれぞれ横長方向に架台ＲＫ１，２に設置されている。
【０００４】
ここで、太陽光パネル間の接続は次の通り行われている。太陽光パネルＰＶ１に備えられているプラス電極ＰＤＫ１からの電線ＷＥ１の先端に取り付けられたＣＮ１を、接続箱ＣＭＢに接続する。太陽光パネルＰＶ１に備えられているマイナス電極ＮＤＫ１からの電線ＷＥ２の先端に取り付けられたＣＮ２と、太陽光パネルＰＶ２に備えられているプラス電極ＰＤＫ２からの電線ＷＥ３の先端に取り付けられたＣＮ３とを接続する。太陽光パネルＰＶ２に備えられているマイナス電極ＮＤＫ２からの電線ＷＥ４の先端に取り付けられたＣＮ４は、次のパネルのプラス電極から引き出された電線ＷＥ５の先端に取り付けられたコネクタＣＮ５と接続する。同じように順次、最終の太陽光パネル（以下、最終パネルと言う）までシリーズ（直列）に電線を接続していき、最終パネルのマイナス電極より引き出された電線ＷＥ６の先端に取り付けられたコネクタＣＮ６を接続箱ＣＭＢへ接続する。
【０００５】
例えば、特許文献１に、上述した従来の太陽光パネルの接続方法の太陽光発電システムが記載されている。
【先行技術文献】
【特許文献】
【０００６】
【特許文献１】特開２０００−２４４００１号公報
【発明の概要】
【発明が解決しようとする課題】
【０００７】
しかしながら、図９に示す従来の太陽光発電システムでは、電線ＷＥ１〜６は３．５ｍｍ程度の電線で、太陽光パネルメーカーより標準で用意されており、その長さは太陽光パネルの設置方向に依存しないように余裕を持たせているため電線長が長くなる。最終パネルから引き出されている電線ＷＥ６は接続箱ＣＭＢまでの距離が長いため、延長ケーブルなどを使って接続箱ＣＭＢへ接続される。
【０００８】
太陽光パネルで発電した電力の電線での損失を軽減するためには、電線の電線長を極力短くする必要がある。太陽光発電システムでは、太陽光パネルが多数設置されるので、太陽光パネル間を接続する電線も多くなり、それにより電線による電力損失も大きくなる。したがって、電線での電力損失を低減させるために電線の長さを極力短くすることが必要となっている。しかし、従来は、太陽光パネルの配置方向に依存しないよう電線の電線長に余裕を持たせる必要があり、電線長を短くできないという課題があった。
【０００９】
本発明は上記の事情に鑑みてなされたものであり、太陽光パネルの設置方向の影響を受けることなく短い電線長の電線で太陽光パネルを接続可能とした、電力損失の少ない効率的な太陽光発電システムを提供することを目的としている。
【課題を解決するための手段】
【００１０】
上記の目的を達成するために、本発明の請求項１の太陽光発電システムは、太陽光パネルとこの太陽光パネルを設置する架台とを備えた太陽光発電システムにおいて、前記架台の裏面に設けられた複数の導電性電源ブスと、前記太陽光パネルのプラス電極とマイナス電極を前記複数の導電性電源ブスの中の対応するものにそれぞれ接続する複数の電線とを具備することを特徴とする。
【００１１】
また、本発明の請求項２の太陽光発電システムは、請求項１記載の太陽光発電システムにおいて、前記太陽光パネルを設置した架台を複数設置し、前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続することを特徴とする。
【００１２】
また、本発明の請求項３の太陽光発電システムは、請求項１記載の太陽光発電システムにおいて、前記電導性電源ブスは、前記架台の前記太陽光発電パネルの設置位置を中心としたときにその両側に２つずつ設けられており、前記複数の電線は、前記太陽光パネルの設置方向に応じて、前記複数の電導性電源ブスに選択的に接続されていることを特徴とする。
【００１３】
また、本発明の請求項４の太陽光発電システムは、請求項３記載の太陽光発電システムにおいて、太陽光パネルを横長方向に設置した架台を複数設置し、前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続することを特徴とする。
【００１４】
また、本発明の請求項５の太陽光発電システムは、請求項３記載の太陽光発電システムにおいて、太陽光パネルを縦長方向に設置した架台を複数設置し、前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続することを特徴とする。
【００１５】
また、本発明の請求項６の太陽光発電システムは、複数の太陽光パネルと、前記複数の太陽光パネルを設置する架台と、前記架台の裏面に設けられた複数の導電性電源ブスと、前記複数の太陽光パネルのそれぞれのプラス電極とマイナス電極を前記複数の導電性電源ブスの中の対応するものにそれぞれ接続する複数の電線とを備え、前記複数の導電性電源ブスの中の少なくとも１つは、前記複数の太陽光パネルのうち隣接して設置された２つの太陽光パネルの両方に隣接する形を有するパネル間接続用導電性電源ブスであり、前記隣接して配置された２つの太陽光パネルの一方の太陽光パネルのプラス電極と前記パネル間接続用導電性電源ブスとの間、他方の太陽光パネルのマイナス電極と前記パネル間接続用導電性電源ブスとの間、前記一方の太陽光パネルのマイナス電極と前記パネル間接続用導電性電源ブスと異なる第１の導電性電源ブスとの間、前記他方の太陽光パネルのプラス電極と前記パネル間接続用導電性電源ブス及び前記第１の導電性電源ブスと異なる第２の導電性電源ブスとの間を、前記複数の電線によりそれぞれ接続し、前記架台に設置された全ての太陽光パネルを直列に接続することを特徴とする。
【００１６】
また、本発明の請求項７の太陽光発電システムは、請求項６記載の太陽光発電システムにおいて、前記複数の太陽光パネルを設置した架台を複数設置し、前記設置された複数の架台の中の隣接する架台間を、当該隣接する２つの架台にそれぞれ設けられた導電性電源ブスの間を電極間接続板で接続することで接続し、前記複数の架台に設置された全ての太陽光パネルを直列に接続することを特徴とする。
【発明の効果】
【００１７】
以上述べたように本発明によれば太陽光パネルの設置方向の影響を受けることなく短い電線長の電線で太陽光パネルを接続可能とした、電力損失の少ない効率的な太陽光発電システムを提供することが可能である。
【図面の簡単な説明】
【００１８】
【図１】本発明の第１の実施形態の太陽光発電システムの構成を示す図。
【図２】本発明の第２の実施形態の太陽光発電システムの構成を示す図。
【図３】本発明の第３の実施形態の太陽光発電システムの構成を示す図。
【図４】本発明の第３の実施形態の接続ケース表を示す図。
【図５】本発明の第４の実施形態の太陽光発電システムの構成を示す図。
【図６】本発明の第５の実施形態の太陽光発電システムの構成を示す図。
【図７】本発明の第６の実施形態の太陽光発電システムの構成を示す図。
【図８】本発明の第７の実施形態の太陽光発電システムの構成を示す図。
【図９】従来の太陽光発電システムの構成を示す図。
【発明を実施するための形態】
【００１９】
（第１の実施形態）
本発明の第１の実施形態について、図１を参照して説明する。
【００２０】
図１は、本発明の第１の実施形態の太陽光発電システムの構成を示す図である。太陽光発電システム１００は、太陽光パネルＰＶ、太陽光パネルＰＶの裏面に設けられたプラス電極ＰＤＫ及びマイナス電極ＮＤＫ、太陽光パネルＰＶを横長方向に設置する架台ＲＫ、架台ＲＫの裏面に設置された導電性電源ブスＤＢＵ１及び導電性電源ブスＤＢＵ２、プラス電極ＰＤＫ及びマイナス電極ＮＤＫと導電性電源ブスＤＢＵ１及び導電性電源ブスＤＢＵ２を各々接続する電線ＷＥ１及び電線ＷＥ２を備える。
【００２１】
電線と導電性電源ブスの接続は次の通り行う。架台ＲＫ上に設置された太陽光パネルＰＶの裏面に備えられているプラス電極ＰＤＫから引き出されている電線ＷＥ１を近傍の導電性電源ブスＤＢＵ１へ接続する。太陽光パネルＰＶの裏面に備えられているマイナス電極ＮＤＫから引き出されている電線ＷＥ２を近傍の導電性電源ブスＤＢＵ２へ接続する。
【００２２】
この場合、架台ＲＫ裏面に設置された導電性電源ブスＤＢＵ１はプラスとなり、導電性電源ブスＤＢＵ２はマイナスとなる。太陽光パネルＰＶ裏面のプラス電極ＰＤＫから引き出された電線ＷＥ１と、太陽光パネルＰＶ裏面のマイナス電極ＮＤＫから引き出された電線ＷＥ２は、架台ＲＫ上のそれぞれ導電性電源ブスＤＢＵ１、ＤＢＵ２までの最短の長さで十分なことから、電線ＷＥ１，ＷＥ２の長さはそれぞれ最短となる。このとき、導電性電源ブスＤＢＵ１，ＤＢＵ２は、極力太陽光パネルＰＶのプラス電極ＰＤＫ、マイナス電極ＮＤＫに近い位置に配置させる。
【００２３】
以上のように、第１の実施形態によれば、架台上に２つの導電性電源ブスを取り付け、太陽光パネルのプラス電極、マイナス電極よりそれぞれ引き出されている２本の電線を２つの導電性電源ブスにそれぞれ接続する構成とした。
【００２４】
これにより、太陽光パネルの設置方向の影響を受けることなく、太陽光パネルのプラス電極、マイナス電極よりそれぞれ引き出されている２本の電線の長さをそれぞれ最短とすることができるので、電線による電力損失の削減が図ることができ、電力損失の少ない効率的な太陽光発電システムを提供することができる。
【００２５】
（第２の実施形態）
本発明の第２の実施形態について図２を参照して説明する。
【００２６】
図２は、本発明の第２の実施形態の太陽光発電システムの構成を示す図である。第２の実施形態は、第１の実施形態で示した構成の太陽光パネルを横長方向に設置した架台を複数台並べて設置し、且つ、隣り合う（隣接する）架台間の導電性電源ブスを電極間接続板で連結接続したものである。
【００２７】
図２に示すように太陽光発電システム２００は、太陽光パネルＰＶ１，２、太陽光パネルＰＶ１，２をそれぞれ横長方向に設置する架台ＲＫ１，２、太陽光パネルＰＶ１，２の裏面にそれぞれ設けられたプラス電極ＰＤＫ１，２及びマイナス電極ＮＤＫ１，２、架台ＲＫ１の裏面に設けられた導電性電源ブスＤＢＵ１，２、架台ＲＫ２の裏面に設けられた導電性電源ブスＤＢＵ３，４、プラス電極ＰＤＫ１，２，マイナス電極ＮＤＫ１，２と導電性電源ブスＤＢＵ１，２，導電性電源ブスＤＢＵ３，４との間をそれぞれ接続する電線ＷＥ１〜４、導電性電源ブスＤＢＵ２とＤＢＵ３とを接続する電極間接続板ＪＰを備える。
【００２８】
電線と導電性電源ブスの接続は以下の通り行う。太陽光パネルＰＶ１に備えられているプラス電極ＰＤＫ１からの電線ＷＥ１を導電性電源ブスＤＢＵ１へ接続する。太陽光パネルＰＶ１に備えられているマイナス電極ＮＤＫ１からの電線ＷＥ２を導電性電源ブスＤＢＵ２へ接続する。太陽光パネルＰＶ２に備えられているプラス電極ＰＤＫ２からの電線ＷＥ３を導電性電源ブスＤＢＵ３へ接続する。太陽光パネルＰＶ２に備えられているマイナス電極ＮＤＫ２からの電線ＷＥ４を導電性電源ブスＤＢＵ４へ接続する。架台ＲＫ１に設置された導電性電源ブスＤＢＵ２と架台ＲＫ２に設置された導電性電源ブスＤＢＵ３とを電極間接続板ＪＰで連結接続させることで、２台の架台ＲＫ１，ＲＫ２間の接続が可能となる。
【００２９】
この場合、太陽光パネルＰＶ１から引き出されている電線ＷＥ１は、プラス電極ＰＤＫ１から導電性電源ブスＤＢＵ１までの最短の長さとなる。太陽光パネルＰＶ１から引き出されているＷＥ２は、マイナス電極ＮＤＫ１から導電性電源ブスＤＢＵ２までの最短の長さとなる。太陽光パネルＰＶ２から引き出されている電線ＷＥ３は、プラス電極ＰＤＫ２から導電性電源ブスＤＢＵ３までの最短の長さとなる。太陽光パネルＰＶ２から引き出されている電線ＷＥ４は導電性電源ブスＤＢＵ４までの最短の長さとなる。
【００３０】
以上のように、第２の実施形態によれば、横長方向に太陽光パネルを取り付けた架台を２台以上並べて設置する場合、隣り合う（隣接する）２つの架台にそれぞれ設置されている２つの導電性電源ブスの間を電極間接続板で接続する構成とすることで、各架台に設置された太陽光パネルから引き出されている電線の長さをそれぞれ最短とすることができる。
【００３１】
これにより、太陽光パネルの設置方向の影響を受けることなく、各架台に設置された太陽光パネルから引き出される電線の長さをそれぞれ最短とすることができるので、電線による電力損失の削減を図ることができ、電力損失の少ない効率的な太陽光発電システムを提供することができる。
【００３２】
（第３の実施形態）
本発明の第３の実施形態について、図３、４を参照して説明する。図３は、本発明の第３の実施形態の太陽光発電システムの構成を示す図である。図４は、本発明の第３の実施形態の導電性電源ブスと電線との接続ケース（接続形態）を示した接続ケース表である。
【００３３】
第３の実施形態では、第１の実施形態に対応する図１の構成に対して、１つの架台ＲＫに、導電性電源ブスＤＢＵ３，４を追加し、４つの導電性電源ブスを設けた点を特徴とする。太陽光発電システム３００は、太陽光パネルＰＶ、架台ＲＫ、電線ＷＥ１，２、プラス電極ＰＤＫ、マイナス電極ＮＤＫ、導電性電源ブスＤＢＵ１〜４を備える。太陽光パネルＰＶは、架台ＲＫに横長方向に設置されている。導電性電源ブスＤＢＵ１，２と導電性電源ブスＤＢＵ３，４は、架台ＲＫの裏面の太陽光発電パネルＰＶの設置位置を中心としたときに、その両側にそれぞれ設けられている。  
電線ＷＥ１，２と導電性電源ブスＤＢＵ１〜４との接続形態は、図４に示されるように複数の接続ケースの中から選択可能であり、太陽光パネルの設置方向に応じて、電線ＷＥ１，２の長さが最短となる接続ケースを選択する。図３に示した太陽光発電システム３００の構成は、図４の接続ケース表のケース１の接続形態が選択されたものであり、電線ＷＥ１を導電性電源ブスＤＢＵ１に接続し、電線ＷＥ２を導電性電源ブスＤＢＵ２に接続している。
【００３４】
以上のように、第３の実施形態によれば、架台上に４つの導電性電源ブスを取り付け、太陽光パネルより引き出されている２本の電線をそれぞれ架台上の４つの導電性電源ブスのいずれかへ接続することで電線の長さを最短とすることができ、以下に説明する第４の実施形態、第５の実施形態に記載の構成にも対応可能となり、電線による電力損失の削減が図れる。
【００３５】
これにより、太陽光パネルの設置方向の影響を受けることなく、架台に設置された太陽光パネルから引き出される電線の長さをそれぞれ最短とすることができるので、電線による電力損失の削減を図ることができ、電力損失の少ない効率的な太陽光発電システムを提供することができる。
【００３６】
（第４の実施形態）
本発明の第４の実施形態について図５を参照して説明する。
【００３７】
第４の実施形態は、図２で示される第２の実施形態と、図３で示される第３の実施形態とを組み合わせ、且つ、太陽光パネルを横長方向に複数台並べて設置した場合の構成を有するものである。すなわち、第３の実施形態で説明した太陽光パネルを横長方向に取り付けた架台を２台以上並べて設置した場合に、第２の実施形態で説明したように隣り合う（隣接する）架台間の２つの導電性電源ブスを電極間接続板で連結接続したものである。
【００３８】
図５は、本発明の第４の実施形態の太陽光発電システムの構成を示す図である。図５に示されるように太陽光発電システム５００は、太陽光パネルＰＶ１，２、架台ＲＫ１，２、電線ＷＥ１〜４、プラス電極ＰＤＫ１，２、マイナス電極ＮＤＫ１，２、導電性電源ブスＤＢＵ１〜８、電極間接続板ＪＰを備えており、太陽光パネルＰＶ１を取り付けた架台ＲＫ１と太陽光パネルＰＶ２を取り付けたＲＫ２とを縦長方向に並べて設置した構成を有する。
【００３９】
電線と導電性電源ブスの接続は以下の通り行う。太陽光パネルＰＶ１に備えられているプラス電極ＰＤＫ１からの電線ＷＥ１を導電性電源ブスＤＢＵ１へ接続する。マイナス電極ＮＤＫ１からの電線ＷＥ２を導電性電源ブスＤＢＵ２へ接続する。太陽光パネルＰＶ２に備えられているプラス電極ＰＤＫ２からの電線ＷＥ３を導電性電源ブスＤＢＵ５へ接続する。マイナス電極ＮＤＫ２からの電線ＷＥ４を導電性電源ブスＤＢＵ６へ接続する。架台ＲＫ１，２間の導電性電源ブスＤＢＵ２とＤＢＵ５とを電極間接続板ＪＰで連結接続する。これにより、２台の架台間の接続が可能となる。
【００４０】
この場合、太陽光パネルＰＶ１から引き出されている電線ＷＥ１，２は架台ＲＫ１へ取り付けられている導電性電源ブスＤＢＵ１，２までの最短の長さとなり、そして太陽光パネルＰＶ２から引き出されている電線ＷＥ３，４も架台ＲＫ２へ取り付けられている導電性電源ブスＤＢＵ５，６までの距離で十分なことから、それぞれの太陽光パネルから引き出されている電線ＷＥ１〜ＷＥ４はそれぞれ最短となる。
【００４１】
以上のように、第４の実施形態によれば、太陽光パネルを横長方向に複数台並べて設置する場合、架台上に４つの導電性電源ブスを取り付け、太陽光パネルより引き出されている２本の電線をそれぞれ架台上の４つの導電性電源ブスのいずれかへ接続し、且つ、隣り合う（隣接する）２つの架台にそれぞれ設置されている２つの導電性電源ブスの間を電極間接続板で接続する構成とすることで、各架台に設置された太陽光パネルから引き出されている電線の長さをそれぞれ最短とすることができる。
【００４２】
これにより、太陽光パネルの設置方向の影響を受けることなく、架台に設置された太陽光パネルから引き出される電線の長さをそれぞれ最短とすることができるので、電線による電力損失の削減を図ることができ、電力損失の少ない効率的な太陽光発電システムを提供することができる。
【００４３】
（第５の実施形態）
本発明の第５の実施形態について図６を参照して説明する。
【００４４】
第５の実施形態は、図２で示される第２の実施形態と、図３で示される第３の実施形態とを組み合わせ、且つ、太陽光パネルを縦長方向に設置した架台を複数台並べて設置した場合の構成を有するものである。即ち、第４の実施形態が太陽光パネルを横長方向に設置した架台を複数台並べて設置した場合であるのに対し、第５の実施形態は太陽光パネルを縦長方向に設置した架台を複数台並べて設置した場合の構成を有する。
【００４５】
図６は、本発明の第５の実施形態の太陽光発電システムの構成を示す図である。図６に示されるように太陽光発電システム６００は、太陽光パネルＰＶ１，２、架台ＲＫ１，２、電線ＷＥ１〜４、プラス電極ＰＤＫ１，２、マイナス電極ＮＤＫ１，２、導電性電源ブスＤＢＵ１〜８、電極間接続板ＪＰを備えており、太陽光パネルＰＶ１を縦長方向に設置した架台ＲＫ１と太陽光パネルＰＶ２を縦長方向に設置したＲＫ２とを並べて設置した構成を有する。
【００４６】
電線と導電性電源ブスの接続は以下の通り行う。太陽光パネルＰＶ１に備えられているプラス電極ＰＤＫ１からの電線ＷＥ１を導電性電源ブスＤＢＵ２へ、マイナス電極ＮＤＫ１からの電線ＷＥ２を導電性電源ブスＤＢＵ４へ接続する。太陽光パネルＰＶ２に備えられているプラス電極ＰＤＫ２からの電線ＷＥ３を導電性電源ＤＢＵ６へ、マイナス電極ＮＤＫ２からの電線ＷＥ４を導電性電源ブスＤＢＵ８へ接続する。架台ＲＫ１，２間の導電性電源ブスＤＢＵ４とＤＢＵ６とを電極間接続板ＪＰで連結接続する。これにより、２台の架台ＲＫ１，２間の接続が可能となる。
【００４７】
この場合、太陽光パネルＰＶ１から引き出されている電線ＷＥ１，２は架台ＲＫ１上へ取り付けられている導電性電源ブスＤＢＵ２，４、そして太陽光パネルＰＶ２から引き出されている電線ＷＥ３，４は架台ＲＫ２上へ取り付けられている導電性電源ブスＤＢＵ６，８までの最短の長さで十分なため、電線ＷＥ１〜ＷＥ４はそれぞれ最短となる。
【００４８】
以上のように、第５の実施形態によれば、太陽光パネルを縦長方向に設置した架台を複数台並べて設置する場合、架台上に４つの導電性電源ブスを取り付け、太陽光パネルより引き出されている２本の電線をそれぞれ架台上の４つの導電性電源ブスのいずれかへ接続し、且つ、隣り合う（隣接する）２つの架台にそれぞれ設置されている２つの導電性電源ブスの間を電極間接続板で接続する構成とすることで、各架台に設置された太陽光パネルから引き出されている電線の長さをそれぞれ最短とすることができる。
【００４９】
これにより、太陽光パネルの設置方向の影響を受けることなく、架台に設置された太陽光パネルから引き出される電線の長さをそれぞれ最短とすることができるので、電線による電力損失の削減を図ることができ、電力損失の少ない効率的な太陽光発電システムを提供することができる。
【００５０】
（第６の実施形態）
本発明の第６の実施形態について図７を参照して説明する。第６の実施形態は、複数の太陽光パネルを同一架台上に隣接して並べて設置した構成を有するものである。
【００５１】
図７は、本発明の第６の実施形態の太陽光発電システムの構成を示す図である。図７に示されるように太陽光発電システム７００は、太陽光パネルＰＶ１，２、太陽光パネルＰＶ１，２を横長方向に隣接して並べて設置する架台ＲＫ、電線ＷＥ１〜４、太陽光パネルＰＶ１，２のそれぞれの裏面に設けられたプラス電極ＰＤＫ１，２及びマイナス電極ＮＤＫ１，２、架台ＲＫの裏面に設けられた導電性電源ブスＤＢＵ１〜６を備える。
【００５２】
架台ＲＫの裏面には、この２つの太陽光パネルＰＶ１，２をまたぐような形、即ち、２つの太陽光パネルＰＶ１，２の両方に隣接するよう長い形状を有する導電性電源ブスＤＢＵ２，５が取り付けられている。ここで、導電性電源ブスＤＢＵ２，５をパネル間接続用導電性電源ブスと呼ぶ。
【００５３】
導電性電源ブスＤＢＵ１〜３と導電性電源ブスＤＢＵ４〜６は、架台ＲＫの太陽光発電パネルＰＶ１，２の設置位置を中心とした際に、その両側にそれぞれ設けられている。電線ＷＥ１〜４は、太陽光パネルＰＶ１，２の設置方向に応じて、プラス電極ＰＤＫ１，２，マイナス電極ＮＤＫ１，２と導電性電源ブスＤＢＵ１〜６とを選択的に接続する。
【００５４】
電線と導電性電源ブスの接続は以下の通り行う。太陽光パネルＰＶ１に備えられているプラス電極ＰＤＫ１からの電線ＷＥ１を導電性電源ブスＤＢＵ１へ、マイナス電極ＮＤＫ１からの電線ＷＥ２を導電性電源ブスＤＢＵ２へ接続する。太陽光パネルＰＶ２に備えられているプラス電極ＰＤＫ２からの電線ＷＥ３を導電性電源ブスＤＢＵ２へ、マイナス電極ＮＤＫ２からの電線ＷＥ４を導電性電源ブスＤＢＵ３へ接続する。これにより２台の太陽光パネルＰＶ１，２の接続が可能となる。
【００５５】
この場合も太陽光パネルＰＶ１から引き出されている電線ＷＥ１，２、太陽光パネルＰＶ２から引き出されている電線ＷＥ３，４はそれぞれ架台ＲＫに取り付けられた導電性電源ブスＢＤＵ１〜３への最短の長さで十分であり、電線ＷＥ１〜ＷＥ４はそれぞれ最短となる。
【００５６】
以上のように、第６の実施形態によれば、太陽光パネルを横長方向に複数台隣接して並べて同一架台に設置した場合、隣接する２つの太陽光パネルをまたぐような長い形のパネル間接続用導電性電源ブスを含む複数の導電性電源ブスを設け、その導電性電源ブスに各太陽光パネルから引き出されている電線を接続することで、各太陽光パネルから引き出されている電線の長さをそれぞれ最短とすることができ、電線による電力損失の削減が図れる。
【００５７】
これにより、太陽光パネルの設置方向の影響を受けることなく、架台に設置された太陽光パネルから引き出される電線の長さをそれぞれ最短とすることができるので、電線による電力損失の削減を図ることができ、電力損失の少ない効率的な太陽光発電システムを提供することができる。
【００５８】
（第７の実施形態）
本発明の第７の実施形態について図８を参照して説明する。
【００５９】
図８は、本発明の第７の実施形態の太陽光発電システムの構成を示す図である。第７の実施形態は、第６の実施形態で示した複数の太陽光パネルを横長方向に隣接して並べて設置した架台を複数台並べ、且つ、隣り合う（隣接する）架台間の導電性電源ブスを電極間接続板で連結接続したものである。
【００６０】
図８に示すように太陽光発電システム８００は、太陽光パネルＰＶ１〜４、架台ＲＫ１，２、電線ＷＥ１〜８、プラス電極ＰＤＫ１〜４、マイナス電極ＮＤＫ１〜４、導電性電源ブスＤＢＵ１〜１２を備える。架台ＲＫ１には、太陽光パネルＰＶ１，２が横長方向に隣接して並べて設置され、導電性電源ブスＤＢＵ１〜６が設けられている。架台ＲＫ２には、太陽光パネルＰＶ３，４が横長方向に隣接して並べて設置され、導電性電源ブスＤＢＵ７〜１２が設けられている。
【００６１】
電線と導電性電源ブスの接続は以下の通り行う。太陽光パネルＰＶ１に備えられているプラス電極ＰＤＫ１からの電線ＷＥ１を導電性電源ブスＤＢＵ５へ、マイナス電極ＮＤＫ１からの電線ＷＥ２を導電性電源ブスＤＢＵ１へ接続する。太陽光パネルＰＶ２に備えられているプラス電極ＰＤＫ２からの電線ＷＥ３を導電性電源ブスＤＢＵ６へ、マイナス電極ＮＤＫ２からの電線ＷＥ４を導電性電源ブスＤＢＵ５へ接続する。
【００６２】
太陽光パネルＰＶ３に備えられているプラス電極ＰＤＫ３からの電線ＷＥ５を導電性電源ブスＤＢＵ７へ、マイナス電極ＮＤＫ３からの電線ＷＥ６を導電性電源ブスＤＢＵ８へ接続する。太陽光パネルＰＶ４に備えられているプラス電極ＰＤＫ４からの電線ＷＥ７を導電性電源ブスＤＢＵ８へ、マイナス電極ＮＤＫ４からの電線ＷＥ８を導電性電源ブスＤＢＵ９へ接続する。
【００６３】
そして、架台ＲＫ１，２間の導電性電源ブスＤＢＵ６とＤＢＵ９とを電極間接続板ＪＰで連結接続させる。これにより、４台の太陽光パネルＰＶ１，２，３，４の接続が可能となる。この場合も太陽光パネルＰＶ１〜４から引き出されている電線ＷＥ１〜８はそれぞれ架台ＲＫ１，２に取り付けられた導電性電源ブスへの最短の長さで十分であり、電線ＷＥ１〜ＷＥ８はそれぞれ最短となる。
【００６４】
以上のように第７の実施形態によれば、複数の太陽光パネルを横長方向に隣接して並べて設置した架台を複数台並べ、且つ、隣り合う（隣接する）架台間の導電性電源ブスを電極間接続板で接続することで、各太陽光パネルから引き出されている電線の長さをそれぞれ最短とすることができ、電線による電力損失の削減が図れる。
【００６５】
これにより、太陽光パネルの設置方向の影響を受けることなく、架台に設置された太陽光パネルから引き出される電線の長さをそれぞれ最短とすることができるので、電線による電力損失の削減を図ることができ、電力損失の少ない効率的な太陽光発電システムを提供することができる。
【符号の説明】
【００６６】
１００，２００，３００，５００，６００，７００，８００…太陽光発電システム、ＣＭＢ…接続箱、ＣＮ１〜６…コネクタ、ＤＢＵ１〜１２…導電性電源ブス、ＪＰ…電極間接続版、ＰＤＫ,ＰＤＫ１〜４…プラス電極、ＰＶ,ＰＶ１〜４…太陽光パネル、ＲＫ,ＲＫ１〜２…架台、ＮＤＫ，ＮＤＫ１〜４…マイナス電極、ＷＥ１〜８…電線。
【図１】
2011211109.tif 000003
【図２】
2011211109.tif 000004
【図３】
2011211109.tif 000005
【図４】
2011211109.tif 000006
【図５】
2011211109.tif 000007
【図６】
2011211109.tif 000008
【図７】
2011211109.tif 000009
【図８】
2011211109.tif 000010
【図９】
2011211109.tif 000011